(57)【特許請求の範囲】
【請求項１】
時刻信号を定期的に取り込んで現在時刻を修正計時すると共に目覚し時刻を設定記憶して現在時刻との一致を検出する制御部と、
時刻を表示する時針及び分針と、
目覚し時刻を表示する目安針と、
前記時針及び分針を駆動する第１駆動機構と、
前記目安針を駆動する第２駆動機構と、
目覚し時刻を入力する入力スイッチと、
アラーム音を発生する報知部と、を備え、
前記第２駆動機構におけるモータの回転を減速させる輪列の減速比を１／１８０に設定して前記目安針を１°ずつ運針させることで５°間隔で目盛が形成された１０分刻み目覚しセット目盛に対応する時刻表示を行うか又は、前記第２駆動機構におけるモータの回転を減速させる輪列の減速比を１／３６０に設定して前記目安針を０．５°ずつ運針させることで５°間隔で目盛が形成された１０分刻み目覚しセット目盛及び２．５°間隔で目盛が形成された５分刻み目覚しセット目盛に対応する時刻表示を行う目覚し時計であって、
前記第２駆動機構における輪列の減速比を１／３６０に設定したときにモータのステップ数を切り換えて、前記目安針を１０分刻み表示目安針又は５分刻み表示目安針として個々に使用するように設定するか、又は１０分刻み表示及び５分刻み表示が可能な目安針として使用するように設定する運針切換設定部と、
前記入力スイッチの１プッシュに対応する前記目安針の１駆動当たりのステップ数を切り換えて、３０分ずつ又は１時間ずつ運針するように切り換える切換スイッチと、を設けたことを特徴とする目覚し時計。
【請求項２】
時刻信号を定期的に取り込んで現在時刻を修正計時すると共に目覚し時刻を設定記憶して現在時刻との一致を検出する制御部と、
時刻を表示する時針及び分針と、
目覚し時刻を表示する目安針と、
前記時針及び分針を駆動する第１駆動機構と、
前記目安針を駆動する第２駆動機構と、
目覚し時刻を入力する入力スイッチと、
アラーム音を発生する報知部と、を備え、
前記第２駆動機構におけるモータの回転を減速させる輪列の減速比を１／１８０に設定して前記目安針を１°ずつ運針させることで５°間隔で目盛が形成された１０分刻み目覚しセット目盛に対応する時刻表示を行うか又は、前記第２駆動機構におけるモータの回転を減速させる輪列の減速比を１／３６０に設定して前記目安針を０．５°ずつ運針させることで５°間隔で目盛が形成された１０分刻み目覚しセット目盛及び２．５°間隔で目盛が形成された５分刻み目覚しセット目盛に対応する時刻表示を行う目覚し時計であって、
前記第２駆動機構における輪列の減速比を１／３６０に設定したときにモータのステップ数を切り換えて、前記目安針を１０分刻み表示目安針又は５分刻み表示目安針として個々に使用するように設定するか、又は１０分刻み表示及び５分刻み表示が可能な目安針として使用するように設定する運針切換設定部を設け、
前記入力スイッチの長押しに前記制御部が応答して、前記入力スイッチの１プッシュに対応する前記目安針の１駆動当たりのステップ数を切り換えて、３０分ずつ又は１時間ずつ運針するように設定したことを特徴とする目覚し時計。
【発明の詳細な説明】
【技術分野】
【０００１】
本発明は、電波時計のように時刻を判別して自動修正する時計に関するものであり、特に、設定した時刻にアラーム動作を行う目覚し時計に関するものである。
【背景技術】
【０００２】
従来、時刻情報を含む電波を受信することで時刻を判別して自動修正する電波時計に、アラーム機能を付加した目覚し時計があった。一般に、この種の時計には、手動操作により回転させる目安針と、時針を駆動する時針車の回転により回転して目安車の溝に応じて上下する目安カムと、この目安カムにより押圧されて上下するアゲバネと、このアゲバネに接触導通する接点板等からなる目安機構が設けられている。
【０００３】
上記のような目覚し時計の場合、目安カムが上下することでアラームがオンオフする構造のため、接点接触音が生じたり、接点精度が悪く且つ不打ち不良など動作が不安定になるという問題があった。また、目安機構は部品点数が多く、構造が複雑で、組立工数が増し、これによりコストが高くなるという問題もあった。
【０００４】
そこで、時針及び分針あるいは秒針を使ってアラーム時刻を表示する電波修正時計が提案されていた（例えば、特許文献１参照）。この時計においては、アラームモード時に、時針及び分針あるいは秒針を目安針として使用することにより、アラーム時刻を表示していた。このように秒針等を目安針として使用することにより、前述した目安機構を削減することが可能となった。
【０００５】
しかしながら、時針及び分針でアラーム時刻を表示すると、時針の動きが遅いため、時刻とアラーム時刻の表示を切換表示するときに時間がかかるという問題があった。また、秒針でアラーム時刻を表示する場合、秒針の１ステップが３６０／６０＝６°であるのに対し、アラーム時刻のセット目盛が１０分刻みの場合３６０／７２＝５°であるため、秒針で正確にセット目盛を指すことができないという問題があった。
【０００６】
更に、秒針と目安針を兼用すると、目安針だけであればアラーム時刻をセットした後に目安針を停止状態に保つことができるが、秒針として機能させると停止状態に保つことができず、電力消費を抑えることができなかった。
【先行技術文献】
【特許文献】
【０００７】
【特許文献１】特開２００５−２３３６５９号公報
【発明の概要】
【発明が解決しようとする課題】
【０００８】
本発明が解決しようとする課題は、上記従来技術の問題点を解決し、ステップ運針する目安針でありながら、１０分刻み目覚しセット目盛と５分刻み目覚しセット目盛を正確に指すことができ、また、迅速に目覚し時刻をセットすることができる目覚し時計を提供することにある。
【課題を解決するための手段】
【０００９】
本発明の目覚し時計は、時刻信号を定期的に取り込んで現在時刻を修正計時すると共に目覚し時刻を設定記憶して現在時刻との一致を検出する制御部と、時刻を表示する時針及び分針と、目覚し時刻を表示する目安針と、前記時針及び分針を駆動する第１駆動機構と、前記目安針を駆動する第２駆動機構と、目覚し時刻を入力する入力スイッチと、アラーム音を発生する報知部と、を備え、前記第２駆動機構におけるモータの回転を減速させる輪列の減速比を１／１８０に設定して前記目安針を１°ずつ運針させることで５°間隔で目盛が形成された１０分刻み目覚しセット目盛に対応する時刻表示を行うか又は、前記第２駆動機構におけるモータの回転を減速させる輪列の減速比を１／３６０に設定して前記目安針を０．５°ずつ運針させることで５°間隔で目盛が形成された１０分刻み目覚しセット目盛及び２．５°間隔で目盛が形成された５分刻み目覚しセット目盛に対応する時刻表示を行うものである。
【００１０】
本発明は、上記目覚し時計であって、前記第２駆動機構における輪列の減速比を１／３６０に設定したときにモータのステップ数を切り換えて、前記目安針を１０分刻み表示目安針又は５分刻み表示目安針として個々に使用するように設定するか、又は１０分刻み表示及び５分刻み表示が可能な目安針として使用するように設定する運針切換設定部を設けたものである。
【００１１】
また、本発明は、上記目覚し時計であって、前記入力スイッチの１プッシュに対応する前記目安針の１駆動当たりのステップ数を切り換えて、３０分ずつ又は１時間ずつ運針するように切り換える切換スイッチを設けたものである。
【００１２】
また、本発明は、上記目覚し時計であって、前記入力スイッチの長押しに前記制御部が応答して、前記入力スイッチの１プッシュに対応する前記目安針の１駆動当たりのステップ数を切り換えて、３０分ずつ又は１時間ずつ運針するように設定したものである。
【発明の効果】
【００１３】
本発明の目覚し時計は、目安針を駆動する輪列の減速比を１／１８０，１／３６０に設定している。このため、目安針は１ステップで１°、０．５°運針し、これを１駆動で５ステップさせると５°、２．５°運針する。これにより、１０分刻み目覚しセット目盛（１目盛５°）と５分刻み目覚しセット目盛（１目盛２．５°）をそれぞれ正確に指すことができる。これにより、目安針により目覚しセット時刻を精度良く表示することができる。
【００１４】
また、輪列の減速比を１／３６０に設定した場合、１駆動で１０ステップさせることで目安針を５°運針させることができる。このため、輪列等の機械的構成を変えることなく、ステップ数を切り換えるだけで運針角度を変更することができるので、目安表示の種類（１０分刻み、５分刻み等）を、スイッチ操作や制御部としてのＩＣの端子設定だけで切り換えることができる。このため、ムーブメントをアラーム機能の有無、目安表示の種類に応じて別個に用意する必要がなく、全て共用することができる。
【００１５】
また、外部切換操作により１駆動当たりのステップ数を切り換えることで、目覚し時刻をセットする際に、目安針をスイッチ１回の操作で３０分ずつ運針させたり１時間ずつ運針させるように設定することができ、目覚し時刻の設定を迅速に行うことができる。
【図面の簡単な説明】
【００１６】
【図１】本発明の一実施例に係る目覚し時計におけるムーブメントの内部構造を示す要部断面図である。
【図２】図１に示すムーブメントに取り付ける文字板を示す正面図である。
【図３】図２に示す文字板の他の例を示す正面図である。
【図４】本発明の目覚し時計の構成を示すブロック図である。
【発明を実施するための形態】
【００１７】
本発明の目覚し時計は、電波時計のように時刻情報を含む電波を受信して時刻を判別し自動修正する時計であり、時針及び分針を駆動する第１駆動機構と、目安針を駆動する第２駆動機構とを備えている。この第２駆動機構には、モータとその回転を減速する輪列が設けられており、この輪列の減速比が１／１８０，１／３６０のように設定されている。これにより、目安針は１ステップで１°あるいは０．５°運針されることになる。１ステップで１°運針する場合、目安針を５ステップさせると、１０分刻み目覚しセット目盛の１目盛分である５°回転する。また、１ステップで０．５°運針する場合、目安針を５ステップさせると、５分刻み目覚しセット目盛の１目盛分である２．５°回転し、１０ステップさせると、１０分刻み目覚しセット目盛の１目盛分である５°回転することになる。この結果、上記のように減速比を設定することで、目安針をそれぞれの目盛に精度良く合わせることが可能となる。また、１駆動当たりのステップ数を変更することで、目安針の運針を３０分ずつ、１時間ずつ等に設定することも可能となる。
【実施例】
【００１８】
はじめに、本発明の一実施例に係る目覚し時計の概略構成を図４に示すブロック図に基づいて説明する。本実施例における目覚し時計は、電波信号等を受信することで時刻信号を定期的に取り込んで現在時刻を修正計時すると共に、目覚し時刻等を設定記憶して現在時刻との一致を検出する等の各種機能を有するマイコンＩＣ、メモリ、モータ駆動回路等からなる制御部２を有している。
【００１９】
また、この目覚し時計には、時針及び分針４と目安針６をそれぞれ駆動する２系統のモータ８，１０と輪列１２，１４が設けられている。更に、本実施例においては、目安針６の１駆動当たりのステップ数を切り換える切換スイッチ１６と、目覚し時刻を入力するためのプッシュボタン等の入力スイッチ１８と、アラーム音等を発生する報知部２０とを設けている。
【００２０】
更に、本実施例においては、目安針６を、１０分刻み表示目安針あるいは５分刻み表示目安針として外部操作又は製造時に切り換えて使用可能とするための運針切換設定部２２を設けている。
【００２１】
本実施例において、通常、時刻を表示するときには、受信した時刻情報等に基づいて制御部２がモータ８，１０をそれぞれ駆動して時針及び分針４を運針させて現在時刻の時、分を表示する。また、目覚し時刻をセットするときには、電源投入時等に目安針６が１２時位置に停止し、入力スイッチ１８を押圧操作することで目安針６が所定角度ずつ運針されて目覚し時刻の設定と表示を行う。設定された目覚し時刻は、制御部２のメモリに記憶される。
【００２２】
本実施例における目安針６の運針角度は、ステップモータからなるモータ１０の回転を減速する輪列１４の減速比とモータ１０の駆動数により、目覚しセット目盛に正確に目安針６が停止するステップ運針を行うものとなっている。
【００２３】
次に、図１に示す本実施例の目覚し時計におけるムーブメントの要部断面図と図２及び図３に示す文字板の正面図を用いてムーブメントの内部構造及び運針の状態を説明する。図１において２４はケースであり、上ケース２６、下ケース２８及び中板３０からなり、その内部に駆動機構が収められている。このケース２４内には、時針及び分針４（図４）を駆動する第１駆動機構３２と、目安針６（図４）を駆動する第２駆動機構３４が収められている。
【００２４】
第１駆動機構３２は、時針及び分針４を駆動するモータ８（図４）のロータ３６から伝え車３８及び３番車４０を介して分針車４２に回転を伝えると共に日の裏車４４を介して分針車４２から時針車４６に回転を伝達する。また、第２駆動機構３４は、モータ１０（図４）のロータ４８から７番車５０、６番車５２及び５番車５４を介して目安車５６に回転を伝達するものとなっている。
【００２５】
５８は回路基板であり、アンテナ、マイコンＩＣ等が取り付けられて、モータ８，１０（図４）等を駆動制御する回路等からなる制御部２（図４）を形成している。６０，６２はそれぞれ上ケース２６と回路基板５８に取り付けられた受光素子と発光素子であり、その間にある時針車４６、分針車４２、目安車５６等に設けられた透孔を通して発光・受光するものである。この受光素子６０と発光素子６２からの信号により、各指針が所定位置（例えば、１２時００分等の帰零位置）に達したことを検出して、指針位置を把握するために用いられる。
【００２６】
また、図２に示す文字板６４には、その外周付近に６０個の目盛からなる時刻目盛６４ａが設けられており、その内側に７２個の目盛からなる１０分刻み目覚しセット目盛６４ｂが設けられている。時刻目盛６４ａは、３６０／６０＝６°の角度で等間隔に円形配置されている。また、１０分刻み目覚しセット目盛６４ｂは、３６０／７２＝５°の角度で等間隔に円形配置されている。
【００２７】
また、図３に示す文字板６６には、文字板６４の時刻目盛６４ａと同一の時刻目盛６６ａと５分刻み目覚しセット目盛６６ｂが設けられている。この５分刻み目覚しセット目盛６６ｂは、文字板６４の１０分刻み目覚しセット目盛６４ｂと同一の目盛からなる外側目盛６６ｃと、その直ぐ内側に外側目盛６６ｃに対して２．５°ずらして７２個の目盛を５°の角度で等間隔に円形配置した内側目盛６６ｄと、から構成されている。この外側目盛６６ｃ及び内側目盛６６ｄは、全部で１４４個あり、互いの間隔は３６０／１４４＝２．５°となっている。
【００２８】
上記構成からなる文字板６４の１０分刻み目覚しセット目盛６４ｂを目安針６（図４）が精度良く指し示すように運針させるには、目安針６を５°ずつ運針が可能なように設定することが必要である。本実施例においては、ロータ４８が１回の駆動で１８０°回転するのを、第２駆動機構３４における輪列の減速比を１／１８０に設定することにより減速して、目安針６の１回のステップを１°に設定している。そして、このような目安針６の１ステップ１°の運針を、１回の駆動で５ステップさせることで５°運針させ、これにより、１０分刻み目覚しセット目盛６４ｂに目安針６が精度良く停止するように構成している。
【００２９】
また、文字板６６の５分刻み目覚しセット目盛６６ｂを目安針６が精度良く指し示すように運針させるには、目安針６を２．５°ずつ運針が可能なように設定することが必要である。この場合、本実施例においては、第２駆動機構３４における輪列の減速比を１／３６０に設定することにより、目安針６の１回のステップを０．５°に設定している。そして、このような目安針６の１ステップ０．５°の運針を５ステップさせることで２．５°運針させ、これにより５分刻み目覚しセット目盛６６ｂに精度良く目安針６が停止するように構成している。
【００３０】
また、目安針６の１回のステップを０．５°に設定した場合、１０ステップさせることで目安針６を５°運針させることができ、これにより１０分刻み目覚しセット目盛６４ｂ（外側目盛６６ｃのみ）に精度良く目安針６を停止させることもできる。
【００３１】
上記のように、本実施例においては、第２駆動機構３４における輪列の減速比を１／１８０あるいは１／３６０に設定して１ステップで１°あるいは０．５°の運針を行うように構成しており、制御部２（図４）において１回のステップ数を切換制御するだけで、目安針６を５°あるいは２．５°ずつ運針させて精度良く目盛位置で停止させることが可能となる。
【００３２】
即ち、減速比１／１８０で１ステップにつき１°の運針の場合、入力スイッチ１８の１プッシュで５ステップずつ運針させると、目安針６が５°ずつ運針し、１０分刻み目覚しセット目盛６４ｂを正確に指し示す。
【００３３】
また、減速比１／３６０で１ステップにつき０．５°の運針の場合、入力スイッチ１８の１プッシュで５ステップずつ運針させると、目安針６が２．５°ずつ運針し、５分刻み目覚しセット目盛６６ｂを正確に指し示す。
【００３４】
更に、減速比１／３６０で１ステップにつき０．５°の運針の場合、入力スイッチ１８の１プッシュで１０ステップずつ運針させることで、５°ずつ目安針６を運針させることができ、これにより１０分刻み目覚しセット目盛６４ｂあるいは外側目盛６６ｃを正確に指し示しながら運針させることができる。
【００３５】
また、本実施例においては、運針切換設定部２２の切り換えにより、目安針６を１０分刻み表示目安針あるいは５分刻み表示目安針として個々に使用するように設定したり、１０分刻み表示及び５分刻み表示が可能な目安針として使用するように設定することが可能である。
【００３６】
また、本実施例においては、切換スイッチ１６を切り換えることにより、目安針６の１駆動当たりのステップ数を切り換えて、３０分ずつあるいは１時間ずつ運針させるように設定することも可能である。例えば、１０分刻み目覚しセット目盛６４ｂにおいて、通常の目覚しセット時には、入力スイッチ１８を１プッシュすると、１ステップ１°で運針する場合、５ステップさせることで目安針６を５°運針させて１０分刻み目覚しセット目盛６４ｂの１目盛分だけ目安針６が進むことになる。これを、切換スイッチ１６の切換により、入力スイッチ１８の１プッシュで、１５ステップさせることで目安針６を１５°運針させ、１０分刻み目覚しセット目盛６４ｂの３目盛分進むように切り換える。これにより、入力スイッチ１８を１プッシュするだけで、目安針６を３０分ずつ進めることができるようになり、また、このときに目安針６は必ず目盛に対応する位置で停止する。
【００３７】
同様に、切換スイッチ１６の切換により、入力スイッチ１８の１プッシュで１時間分運針させるには、目安針６が１ステップ１°で運針する場合、３０ステップさせることで１０分刻み目覚ましセット目盛６４ｂの６目盛分進むように設定することができる。
【００３８】
また、目安針６が１ステップ０．５°で運針する場合には、入力スイッチ１８の１プッシュで３０ステップさせることで１５°運針させることができ、５分刻み目覚しセット目盛６６ｂの６目盛分進めて３０分送ることができる。同様に、１時間分運針させるには、入力スイッチ１８の１プッシュで６０ステップさせて３０°運針させることで、５分刻み目覚しセット目盛６６ｂの１２目盛分進めれば良い。
【００３９】
上記のように、入力スイッチ１８の１プッシュで目安針６の運針角度を３０分あるいは１時間と増やすことにより、入力スイッチ１８を多数プッシュ操作する必要がなくなり、簡単かつ迅速に目覚し時刻を設定することができる。また、入力スイッチ１８の操作を止めれば、必ず目安針６は目盛に対応する位置で停止することになる。
【００４０】
また、切換スイッチ１６を設けずに、入力スイッチ１８の長押し（例えば、2秒以上等）により目安針６を３０分若しくは1時間分ずつ進めるように設定しても良い。
【符号の説明】
【００４１】
２    制御部
４    時針及び分針
６    目安針
８，１０    モータ
１２，１４  輪列
１６  切換スイッチ
１８  入力スイッチ
２０  報知部
２２  運針切換設定部
２４  ケース
２６  上ケース
２８  下ケース
３０  中板
３２  第１駆動機構
３４  第２駆動機構
３６  ロータ
３８  伝え車
４０  ３番車
４２  分針車
４４  日の裏車
４６  時針車
４８  ロータ
５０  ７番車
５２  ６番車
５４  ５番車
５６  目安車
５８  回路基板
６０  受光素子
６２  発光素子
６４，６６  文字板
６４ａ，６６ａ  時刻目盛
６４ｂ  １０分刻み目覚しセット目盛
６６ｂ  ５分刻み目覚しセット目盛
６６ｃ  外側目盛
６６ｄ  内側目盛
【図１】
0005448178.tif 000002
【図２】
0005448178.tif 000003
【図３】
0005448178.tif 000004
【図４】
0005448178.tif 000005